(57)【要約】【課題】建築現場にて斜断した隅棟平瓦の残部を更に隅棟平瓦として使用することができるようにした新規な隅棟平瓦を提供し、以て建築現場における隅棟平瓦の廃材の発生を最小限に留める。【解決手段】相対向する一対の対辺（３ａ）（３ｂ）を相互に対称に形成すると共に相対向する別の一対の対辺（５ａ）（５ｂ）を相互に対称に形成し、対角線状又は二つの辺に交わる直線状に斜断して二つの斜断片（１１）（１３）又は（１５）（１７）を形成したときに各斜断片をそれぞれ隣接する平瓦（１９）に連結した状態で隅棟の端縁に配設することができるようにしたことを特徴とする隅棟平瓦。前記相対向する一対の対辺にオーバーラップ部（３ａ’）（３ｂ’）を相互に対称に備えさせる。前記相対向する一対の対辺にアンダーラップ部（２３ａ’）（２３ｂ’）を相互に対称に備えさせる。【選択図】図１
2005351034.tif 000002
【特許請求の範囲】
【請求項１】
相対向する一対の対辺を相互に対称に形成すると共に相対向する別の一対の対辺を相互に対称に形成し、対角線状又は二つの辺に交わる直線状に斜断して二つの斜断片を形成したときに各斜断片をそれぞれ隣接する平瓦に連結した状態で隅棟の端縁に配設することができるようにしたことを特徴とする隅棟平瓦。
【請求項２】
前記相対向する一対の対辺にオーバーラップ部を相互に対称に備えさせたことを特徴とする請求項１に記載の隅棟平瓦。
【請求項３】
前記相対向する一対の対辺にアンダーラップ部を相互に対称に備えさせたことを特徴とする請求項１に記載の隅棟平瓦。
【発明の詳細な説明】
【技術分野】
【０００１】
本発明は、隅棟平瓦に関するものであり、更に詳しくは、寄棟造、入母屋造、方形造等の屋根における勾配のある隅棟の端縁に配設される隅棟平瓦に係るものである。
【背景技術】
【０００２】
平瓦は、例えば特開平９−２８７２４８号公報に示すものの如く、従来より種々のものが使用されている。
【０００３】
寄棟造、入母屋造、方形造等の屋根においても、しばしば平瓦が使用されている。しかして、これらの屋根における勾配のある隅棟の端縁に配設される従来の隅棟平瓦は、当該屋根に用いられる他の平瓦と同様の平瓦を建築現場にて対角線状又は二つの辺に交わる直線状に斜断した状態で使用されている。なお、「斜断」とは、平瓦を対角線状又は二つの辺に交わる直線状に切断することをいう。
【特許文献１】特開平９−２８７２４８号公報
【発明の開示】
【発明が解決しようとする課題】
【０００４】
しかるに、上記従来の隅棟平瓦は、同じ屋根に用いられる他の平瓦と同様の平瓦を現場にて斜断した状態で使用されているに過ぎないため、当該平瓦における斜断した残部は使用不能の廃材となる。けだし、平瓦は、斜断した残部を隣接する平瓦に連結した状態で隅棟平瓦として使用することができるような形状を備えていないからである。瓦の廃材は大部分が埋立て処分されるため、瓦の廃材が大量に発生すると、該廃材の処理費用が嵩むだけでなく、自然環境に悪影響を及ぼすという深刻な問題も生ずる。
【０００５】
このような状況に鑑み、本発明は、建築現場にて斜断した隅棟平瓦の残部を更に隅棟平瓦として使用することができるようにした新規な隅棟平瓦を提供し、以て建築現場における隅棟平瓦の廃材の発生を最小限に留めることを目的としてなされたものである。
【課題を解決するための手段】
【０００６】
上記課題を解決するために、本発明は下記の隅棟平瓦を提供するものである。
【０００７】
（１）相対向する一対の対辺を相互に対称に形成すると共に相対向する別の一対の対辺を相互に対称に形成し、対角線状又は二つの辺に交わる直線状に斜断して二つの斜断片を形成したときに各斜断片をそれぞれ隣接する平瓦に連結した状態で隅棟の端縁に配設することができるようにしたことを特徴とする隅棟平瓦（請求項１）。
【０００８】
（２）前記相対向する一対の対辺にオーバーラップ部を相互に対称に備えさせる（請求項２）。
【０００９】
（３）前記相対向する一対の対辺にアンダーラップ部を相互に対称に備えさせる（請求項３）。
【００１０】
［発明の作用］
［請求項１の発明］
隅棟平瓦を使用する際には、隅棟平瓦を対角線状（図５、図８参照）又は二つの辺に交わる直線状（図６、図９参照）に斜断して隅棟の端縁に配設するに適した大きさの斜断片を形成し、該斜断片を隣接する平瓦に連結した状態で隅棟の端縁に配設する（図７、図１０、図１１、図１３参照）。隅棟平瓦を斜断することにより得られた別の斜断片は、隅棟の端縁における別の位置に配設する（図１２、図１４参照）。当該別の斜断片は、必要に応じて、更に斜断しても差し支えない。なお、隅棟平瓦は、相対向する一対の対辺を相互に対称に形成すると共に相対向する別の一対の対辺を相互に対称に形成しているため、当該別の斜断片は、水平方向に１８０度回動させることにより、隣接する平瓦に連結した状態で隅棟の端縁に配設することができる。
【００１１】
［請求項２の発明］
請求項２の隅棟平瓦は、相対向する一対の対辺にオーバーラップ部を相互に対称に備えさせているため（図１、図２参照）、この隅棟平瓦を対角線状（図５参照）又は二つの辺に交わる直線状（図６参照）に斜断したときには、各斜断片におけるオーバーラップ部を隣接する平瓦におけるアンダーラップ部上に重ねた状態で、各切断片を隣接する平瓦に連結することができる（図１１、図１２参照）。
【００１２】
［請求項３の発明］
請求項３の隅棟平瓦は、相対向する一対の対辺にアンダーラップ部を相互に対称に備えさせているため（図３、図４参照）、この隅棟平瓦を対角線状（図８参照）又は二つの辺に交わる直線状（図９参照）に斜断したときには、各斜断片におけるアンダーラップ部を隣接する平瓦におけるオーバーラップ部下に入れた状態で、各切断片を隣接する平瓦に連結することができる（図１３、図１４参照）。
【発明の効果】
【００１３】
本発明によれば、建築現場にて斜断した隅棟平瓦の残部を更に隅棟平瓦として使用することができる。従って、建築現場における隅棟平瓦の廃材の発生を最小限に留めることができる。隅棟平瓦の廃材の発生を最小限に留めることにより、隅棟平瓦の廃材の処理費用を低減させることができると共に、自然環境に対する悪影響を防止することができる。更に、隅棟平瓦の使用数量が減少するため、コストダウンを図ることもできる。
【発明を実施するための最良の形態】
【００１４】
図１、図２に示す隅棟平瓦１は、相対向する一対の対辺３ａ、３ｂを相互に対称に形成すると共に相対向する別の一対の対辺５ａ、５ｂを相互に対称に形成し、対角線７状（図５参照）又は二つの辺３ｂ、５ｂに交わる直線９状（図６参照）に斜断して二つの斜断片１１、１３（又は１５、１７）を形成したときに各斜断片１１、１３（又は１５、１７）をそれぞれ隣接する平瓦１９（図７、図１１、図１２参照）に連結した状態で隅棟の端縁に配設することができるようにしたものである。なお、前記別の一対の対辺５ａ、５ｂのうち、５ａは前辺、５ｂは後辺である。
【００１５】
図２に示す隅棟平瓦１は、図１に示す隅棟平瓦１を水平方向に１８０度回動させた状態を示す。
【００１６】
図１、図２に示す隅棟平瓦１は、相対向する一対の対辺３ａ、３ｂにオーバーラップ部３ａ’、３ｂ'を相互に対称に備えさせている。
【００１７】
図３、図４に示す隅棟平瓦２１は、相対向する一対の対辺２３ａ、２３ｂを相互に対称に形成すると共に相対向する別の一対の対辺２５ａ、２５ｂを相互に対称に形成し、対角線２７状（図８参照）又は二つの辺２３ｂ、２５ａに交わる直線２９状（図９参照）に斜断して二つの斜断片３１、３３（又は３５、３７）を形成したときに各斜断片３１、３３（又は３５、３７）をそれぞれ隣接する平瓦３９（図１０、図１３、図１４参照）に連結した状態で隅棟の端縁に配設することができるようにしたものである。なお、前記別の一対の対辺２５ａ、２５ｂのうち、２５ａは前辺、２５ｂは後辺である。
【００１８】
図４に示す隅棟平瓦２１は、図３に示す隅棟平瓦２１を水平方向に１８０度回動させた状態を示す。
【００１９】
図３、図４に示す隅棟平瓦２１は、相対向する一対の対辺２３ａ、２３ｂにアンダーラップ部２３ａ’、２３ｂ'を相互に対称に備えさせている。
【００２０】
符号４１に示すものは、隅棟面戸である。
【００２１】
図５、図６に示す斜断片１１（１３）、１５、１７は、それぞれ図７、図１１、図１２における隅棟の端縁に配設されている。
【００２２】
図８、図９ｎ示す斜断片３１（３３）、３５、３７は、それぞれ図１０、図１３、図１４における隅棟の端縁に配設されている。
【００２３】
符号１９ａに示すものは、各斜断片１１、１３、１５、１７に隣接する平瓦１９と同様の平瓦である。
【００２４】
図１１、図１２において、符号２０ａは平瓦１９、１９ａのアンダーラップ部、符号２２ｂは平瓦１９、１９ａのオーバーラップ部である。
【００２５】
符号３９ａに示すものは、各斜断片３１、３３、３５、３７に隣接する平瓦３９と同様の平瓦である。
【００２６】
図１３、図１４において、符号４０ａは平瓦３９、３９ａのオーバーラップ部、符号４２ｂは平瓦３９、３９ａのアンダーラップ部である。
【図面の簡単な説明】
【００２７】
【図１】本発明による隅棟平瓦の一例を示す斜視図である。
【図２】図１に示す隅棟平瓦を水平方向に１８０度回動させた状態を示す斜視図である。
【図３】本発明による隅棟平瓦の別の一例を示す斜視図である。
【図４】図３に示す隅棟平瓦を水平方向に１８０度回動させた状態を示す斜視図である。
【図５】図１に示す隅棟平瓦を対角線状に斜断して二つの斜断片を形成した状態を示す斜視図である。
【図６】図１に示す隅棟平瓦を二つの辺に交わる直線状に斜断して二つの斜断片を形成した状態を示す斜視図である。
【図７】図５、図６に示す斜断片を隅棟の端縁に配設した状態を概略的に示す参考図である。
【図８】図３に示す隅棟平瓦を対角線状に斜断して二つの斜断片を形成した状態を示す斜視図である。
【図９】図３に示す隅棟平瓦を二つの辺に交わる直線状に斜断して二つの斜断片を形成した状態を示す斜視図である。
【図１０】図８、図９に示す斜断片を隅棟の端縁に配設した状態を概略的に示す参考図である。
【図１１】図６に示す一つの斜断片を隅棟の端縁に配設した状態を概略的に示す断面図である。
【図１２】図６に示す別の斜断片を隅棟の端縁に配設した状態を概略的に示す断面図である。
【図１３】図９に示す一つの斜断片を隅棟の端縁に配設した状態を概略的に示す断面図である。
【図１４】図９に示す別の斜断片を隅棟の端縁に配設した状態を概略的に示す断面図である。
【符号の説明】
【００２８】
１  隅棟平瓦
３ａ  対辺
３ａ'  オーバーラップ部
３ｂ  対辺
３ｂ’  オーバーラップ部
５ａ  対辺
５ｂ  対辺
７  対角線
９  直線
１１  斜断片
１３  斜断片
１５  斜断片
１７  斜断片
１９  平瓦
１９ａ  平瓦
２０ａ  アンダーラップ部
２１  隅棟平瓦
２２ｂ  オーバーラップ部
２３ａ  対辺
２３ａ’  アンダーラップ部
２３ｂ  対辺
２３ｂ’  アンダーラップ部
２５ａ  対辺
２５ｂ  対辺
２７  対角線
２９  直線
３１  斜断片
３３  斜断片
３５  斜断片
３７  斜断片
３９  平瓦
３９ａ  平瓦
４０ａ  オーバーラップ部
４１  隅棟面戸
４２ｂ  アンダーラップ部
【図１】
2005351034.tif 000003
【図２】
2005351034.tif 000004
【図３】
2005351034.tif 000005
【図４】
2005351034.tif 000006
【図５】
2005351034.tif 000007
【図６】
2005351034.tif 000008
【図７】
2005351034.tif 000009
【図８】
2005351034.tif 000010
【図９】
2005351034.tif 000011
【図１０】
2005351034.tif 000012
【図１１】
2005351034.tif 000013
【図１２】
2005351034.tif 000014
【図１３】
2005351034.tif 000015
【図１４】
2005351034.tif 000016